(57)【要約】      （修正有）【課題】灸治療において点火したもぐさの温熱を人体の都つぼに効果的に作用させるための間接灸の治療具を提供する。【解決手段】中央に穴を開けた台座２枚の間に針金を固着して中央の穴の上に立ち上げ、先端を穴の上方に伸ばし、針金に刻み目を付け、台座の底に粘着剤を塗布し、剥離紙を貼った構成で、針金に刺したもぐさに点火して使用し、もぐさを上下動可能としている。【選択図】図１
0003123672.tif 000002
【実用新案登録請求の範囲】
【請求項１】
中央の穴（４）をあけた台座（１）、（２）の間に刻んだ溝（３）に装着した針金（５）が穴（４）の中央に来るように斜度を持たせて立ち上げ、刻み目（６）を有する針金（５）先端を上方に伸ばし、台座の底部に粘着剤（７）を塗布し、剥離紙（８）を貼ったことを特徴とする灸治療具。
【考案の詳細な説明】
【技術分野】
【０００１】  本考案は、灸治療において点火したもぐさの温熱を人体の都つぼに効果的に作用させるための間接灸の治療具に関している。
【背景技術】
【０００２】  灸治療は東洋医学の治療法であり、もぐさなどの温熱刺激によって、血液の循環をよくしたり、皮膚に軽いやけどを起こさせる事で、異種蛋白体を作って、白血球や赤血球の増加、その他の血液像に変化を起こさせる事によって行う治療である。灸治療には直接灸と間接灸があり、直接灸はもぐさを皮膚の上に置き点火する。間接灸はもぐさと皮膚の間に物質を介在させてもぐさに点火する。物質には味噌、しょうが、にんにく等やボール紙などの台座が使用される。
【考案が解決しようとする課題】
【０００３】  ボール紙を１５ｍｍ程度の大きさに打ち抜いた台座を使用する治療具は、もぐさを直接皮膚に置かないため、やけどの危険を少なくしたものである。しかし、台座ともぐさが密着しているため、熱が直接皮膚に影響を及ぼし、熱しすぎたりやけどしたりする。このように、従来の灸治療具は温度調整が出来ず、使用後台座を捨てなければならない。
【０００４】  針を人体のつぼに刺し、針をつけたもぐさに点火して治療する方法も取られている。この方法では、つぼへの刺激効果は高いが、針を刺すため、痛さと素人には簡単には使用できない問題点がある。
【課題を解決する為の手段】
【０００５】  そこで本考案においては、皮膚へ近づけた点火したもぐさにより、熱しすぎたりやけどしたりするのを防ぎ、温度調整ができ、台座も利用可能で、誰でも手軽に使用できる方法を追求したものである。
【０００６】  中央に穴（４）を開けた二枚の台座（１）、（２）を用意する。溝（３）を中央の穴（４）の形状に合わせて、穴（４）の周囲の台座（１）、（２）の両方または一方を設ける。溝（３）に針金（５）を合わせて台座（１）と（２）で挟んで固着する。台座（２）から針金（５）を立ち上げる。この際に、針金（５）の上部が穴（４）の中央に来るようにするため、溝（３）から穴か（４）の中央まで斜め上方へ立ち上がるようにする。全体または部分的に刻み目（６）の付いた針金（５）を使用することにより、針金（５）に刺した筒状のもぐさ（９）の位置をずらす際に、滑り止めとなり点火したもぐさ（９）を任意の位置に設置できる。台座（１）の底部に粘着剤（７）と塗布し、剥離紙（８）を貼ることにより、台座（１）を固定して使用する事ができる。
【発明の効果】
【０００７】針を刺さないで、誰でも気軽に灸治療が自分で出来る。
【０００８】  台座の底に粘着性を持たせているため、身体のどこへでも使用することが出来る。
【０００９】もぐさを上下動かす事ができるため、温熱調節が自分で出来る。
【００１０】  やけどの跡が付かず、つぼに当てた穴に温熱が直接作用し、気持ちよく、治療効果も大きい。
【００１１】  もぐさの温熱が柔らかく当たり、もぐさの香りと煙のマイナスイオン効果により、リラックス効果とアロマテラピー効果を得る事ができる。
【考案を実施するための最良の形態】
【００１２】本考案は台座の中央に開けた広い穴にもぐさの熱を放射する事により、温熱効果を間接的に皮膚に与え灸治療を行うものである。このため、針金は熱伝導が少ないものを使用する事になる。また、台座はボール紙のように断熱効果がある素材を使用する。
【実施例】
【００１３】  本考案の実施例について図面を参照して説明する。
図１は本考案の灸治療具に関する一実施例の斜視図である。台座は台座１と台座２の二枚で構成されている。この実施例では直径２５ｍｍの円盤状の厚紙を台座１と台座２とし、厚紙の中央に直径１５ｍｍ程度の穴を開けてドーナツ形状としている。厚紙の厚さは２〜３ｍｍ程度である。台座１及び台座２の穴４と台座１，２の周囲の中間ぐらいに、図１には明示されていないが、円状に溝（３）を設け針金（５）を溝（３）に合わせて丸めてはめ込み台座１と台座２を接着することで丸めた針金（５）を固定している。針金（５）は台座２より穴（４）の中心に向かって１０ｍｍほど立ち上げ、針金（５）の上端を６０ｍｍほど真上に立ち上げている。この立ち上げた部分が１０ｍｍあるため、万一もぐさ（９）が自然に落下する事があっても、立ち上げ部分で停止するためやけどの危険は回避できる。また、台座１，２の幅を２５ｍｍにすることで、倒れにくくなり安全を確保している。【００１４】  図１では台座１と台座２の形状を円滑にしているが、外形は固定したもので、角形、楕円形、多角形、星形等各種の形状が考えられる。また、穴（４）の寸法や針金（５）の台座１と台座２への固定位置、長さ等も固定したものでない。【００１５】  もぐさ（９）を装着する位置を移動可能とし、落下防止のため、針金（５）の上部あるいは全体に刻み目（６）を設けている。このような刻み目（６）を設ける事で、本考案の灸治療具の使用者は、自分でもぐさ（９）の位置を上下させて変更する事がで、温熱の加減をすることができる。【００１６】  図２は本考案の灸治療具を分解した状態を示す説明図である。台座１の裏面には粘着剤（７）が塗布され、粘着剤（７）の上に剥離紙（８）を貼り付けている。使用するときは剥離紙（８）をはがして、粘着剤（７）の付いた台座１を皮膚に張るので台座１身体のつぼに貼った状態で維持できる。台座１の上面には溝（３）が刻み込まれている。同じように台座２の下面にも溝（３）が刻み込まれている。この溝（３）に合わせて針金（５）を埋め込むように針金（５）の下部を丸めている。針金（５）の上部は穴（４）の中心に向かうように斜めに立ち上げている。穴（４）の中心から上方にまっすぐに伸ばしている。【００１７】  台座１と台座２で針金（５）を挟んで接着し、針金（５）を固定しているので、溝（３）は針金（５）を挟んだとき浮き上がらないようにするためのものである。このため、溝（３）を台座１または台座２のいずれか一方につけることが出来る。【００１８】  上方位伸ばした針金（５）には刻み目６がついている。針金（５）の表面をギザギザにすることで、針金（５）に刺したもぐさ（９）が滑り落ちないようにしている。また、任意の位置でもぐさ（９）をとめることが出来るので、皮膚に与える温熱の強さを加減する事ができる。【００１９】  図３は使用例を示す説明図である。図３（ａ）ではもぐさ（９）を針金（５）の上方に刺している。図３（ｂ）ではもぐさ（９）を針金（５）の下方に刺している。このようにもぐさ（９）を自分の好む温度に設定することで、心地よい灸治療をすることができる。もぐさ（９）の放射熱は穴（４）の周りが断熱されているため、穴（４）の中に向かって集中するので、つぼに効果的に温熱を集中することが出来る。【００２０】  図４は従来普及している灸治療具の斜視図である。もぐさが台座の上に固定され、台座に開けた穴から温熱を直接に伝える。もぐさと皮膚の間隔が近いので、台座の下に和紙を貼っている例が多い。しかし、温度調節が出来ないため、やけどの危険が大きい。
【図面の簡単な説明】
【００２１】
【図１】  本考案の灸治療具に関する一実施例の斜視図である。
【図２】  本発明の灸治療具を分解した状態を示す説明図である。
【図３】  使用例を示す説明図である。
【図４】  従来普及している灸治療具の斜視図である。
【符号の説明】
【００２２】１  台座
２  台座
３  溝
４  穴
５  針金
６  刻み目
７  粘着剤
８  剥離紙
９  もぐさ
【図１】
0003123672.tif 000003
【図２】
0003123672.tif 000004
【図３】
0003123672.tif 000005
【図４】
0003123672.tif 000006